(57)【要約】【課題】小型かつ高光学性能のマイクロ型投影レンズを提供する。【解決手段】マイクロ型投影レンズ１は、形成像側から映像源側にかけて順次配列された第１のレンズ群Ｇ１１、第２のレンズ群Ｇ１２及び第３のレンズ群Ｇ１３を備える。第１のレンズ群Ｇ１１は、正の屈折力を有し、少なくとも１つの非球面レンズを有する。第２のレンズ群Ｇ１２は、負の屈折力を有し、ガラスからなるレンズで構成され、少なくとも１つの接合レンズを有する。第３のレンズ群Ｇ１３は、正の屈折力を有し、少なくとも１つの非球面レンズを有する。第１のレンズ群Ｇ１１は、負の屈折力を有する第１のレンズＬ１１と、正の屈折力を有する第２のレンズＬ１２とを有する。【選択図】図１
2012141568.tif 000002
【特許請求の範囲】
【請求項１】
形成像側から映像源側にかけて順次配列された第１のレンズ群、第２のレンズ群及び第３のレンズ群を備えるマイクロ型投影レンズであって、
前記第１のレンズ群は、正の屈折力を有し、少なくとも１つの非球面レンズを有し、
前記第２のレンズ群は、負の屈折力を有し、ガラスからなるレンズで構成され、少なくとも１つの接合レンズを有し、
前記第３のレンズ群は、正の屈折力を有し、少なくとも１つの非球面レンズを有することを特徴とするマイクロ型投影レンズ。
【請求項２】
前記第１のレンズ群は、負の屈折力を有する第１のレンズと、正の屈折力を有する第２のレンズと、を有することを特徴とする請求項１に記載のマイクロ型投影レンズ。
【請求項３】
前記第１のレンズ群は、それぞれプラスチック製非球面レンズである第１のレンズ及び第２のレンズを有することを特徴とする請求項１に記載のマイクロ型投影レンズ。
【請求項４】
前記第１のレンズ群は、第１のレンズ及び第２のレンズを有し、
０．４＜ｆ２／Ｆ１２＜０．９５を満足させ、
上記式において、前記ｆ２は、前記第２のレンズの有効焦点距離を表し、前記Ｆ１２は、前記第１のレンズと前記第２のレンズとの合成焦点距離を表すことを特徴とする請求項１に記載のマイクロ型投影レンズ。
【請求項５】
前記第２のレンズ群は、負の屈折力を有する第３のレンズと、正の屈折力を有する第４のレンズと、を有することを特徴とする請求項１に記載のマイクロ型投影レンズ。
【請求項６】
前記第２のレンズ群は、第３のレンズ及び第４のレンズを有し、
前記第３のレンズと前記第４のレンズとを接合して接合レンズを構成し、
０．１＜ｆ３／Ｆ３４＜０．５を満足させ、
上記式において、前記ｆ３は、前記第３のレンズの有効焦点距離を表し、前記Ｆ３４は、前記第３のレンズと前記第４のレンズとの合成焦点距離を表すことを特徴とする請求項１に記載のマイクロ型投影レンズ。
【請求項７】
前記第３のレンズ群は、両面がそれぞれ非球面である第５のレンズを有することを特徴とする請求項１に記載のマイクロ型投影レンズ。
【請求項８】
前記第１のレンズ群と前記第２のレンズ群との間に形成された絞りをさらに備えることを特徴とする請求項１に記載のマイクロ型投影レンズ。
【発明の詳細な説明】
【技術分野】
【０００１】
本発明は、レンズに関し、特に、マイクロ型投影レンズに関する。
【背景技術】
【０００２】
近年、科学技術の進歩に伴い、プロジェクタを用いてプレゼンテーションを行ったり、ビデオや番組などを鑑賞したりする人が増えてきている。プロジェクタを都合よく携帯したり使用したりすることができるように、小型かつ軽量のマイクロ型プロジェクタが開発され、人々が所望する小型化された製品を得ることができるが、これにより、レンズのサイズも大幅に小型化されてきている。また、小型化及び軽量化以外には、良好な光学性能により、高解像度及び高コントラストを実現することができる。そのため、マイクロ型プレジェクタのレンズには、小型化及び光学性能の向上が求められていた。
【０００３】
しかし、現在のマイクロ型プロジェクタが採用するレンズは、良好な光学性能を得るために、多数のレンズ群が使用され、レンズの総数が１０枚以上になることもあるため、小型化及び軽量化を達成することができない。また、レンズを小型化するために、数枚のレンズだけを使用した場合、光学性能を有効に向上させることができない。そのため、従来の問題点を解決するマイクロ型プロジェクタのレンズが求められていた。
【発明の概要】
【発明が解決しようとする課題】
【０００４】
本発明の目的は、小型かつ高光学性能のマイクロ型投影レンズを提供することにある。
【課題を解決するための手段】
【０００５】
上記目的を達成するためになされた請求項１に記載のマイクロ型投影レンズは、形成像側から映像源側にかけて順次配列された第１のレンズ群、第２のレンズ群及び第３のレンズ群を備えるマイクロ型投影レンズであって、前記第１のレンズ群は、正の屈折力を有し、少なくとも１つの非球面レンズを有し、前記第２のレンズ群は、負の屈折力を有し、ガラスからなるレンズで構成され、少なくとも１つの接合レンズを有し、前記第３のレンズ群は、正の屈折力を有し、少なくとも１つの非球面レンズを有することを特徴とする。
【０００６】
前記第１のレンズ群は、負の屈折力を有する第１のレンズと、正の屈折力を有する第２のレンズと、を有することが好ましい。
【０００７】
前記第１のレンズ群は、それぞれプラスチック製非球面レンズである第１のレンズ及び第２のレンズを有することが好ましい。
【０００８】
前記第１のレンズ群は、第１のレンズ及び第２のレンズを有し、０．４＜ｆ２／Ｆ１２＜０．９５を満足させ、上記式において、前記ｆ２は、前記第２のレンズの有効焦点距離を表し、前記Ｆ１２は、前記第１のレンズと前記第２のレンズとの合成焦点距離を表すことが好ましい。
【０００９】
前記第２のレンズ群は、負の屈折力を有する第３のレンズと、正の屈折力を有する第４のレンズと、を有することが好ましい。
【００１０】
前記第２のレンズ群は、第３のレンズ及び第４のレンズを有し、前記第３のレンズと前記第４のレンズとを接合して接合レンズを構成し、０．１＜ｆ３／Ｆ３４＜０．５を満足させ、前記ｆ３は、前記第３のレンズの有効焦点距離を表し、前記Ｆ３４は、前記第３のレンズと前記第４のレンズとの合成焦点距離を表すことが好ましい。
【００１１】
前記第３のレンズ群は、両面がそれぞれ非球面である第５のレンズを有することが好ましい。
【００１２】
前記第１のレンズ群と前記第２のレンズ群との間に形成された絞りをさらに備えることが好ましい。
【図面の簡単な説明】
【００１３】
【図１】本発明の第１実施形態によるマイクロ型投影レンズのレンズの配置を示す模式図である。
【図２】本発明の第１実施形態による光路を示す模式図である。
【図３Ａ】本発明の第１実施形態による像面湾曲を示すグラフと、歪み量を示すグラフである。
【図３Ｂ】本発明の第１実施形態によるスルーフォーカスＭＴＦ（ｔｈｒｏｕｇｈ    ｆｏｃｕｓ  Ｍｏｄｕｌａｔｉｏｎ  Ｔｒａｎｓｆｅｒ  Ｆｕｎｃｔｉｏｎ）を示すグラフである。
【図３Ｃ】本発明の第１実施形態によるスペシャルフリーケンシーＭＴＦ（ｓｐａｔｉａｌ  ｆｒｅｑｕｅｎｃｙ  Ｍｏｄｕｌａｔｉｏｎ  Ｔｒａｎｓｆｅｒ  Ｆｕｎｃｔｉｏｎ）を示すグラフである。
【図４】本発明の第２実施形態によるマイクロ型投影レンズのレンズ配置を示す模式図である。
【図５】本発明の第２実施形態による光路を示す模式図である。
【図６Ａ】本発明の第２実施形態による像面湾曲を示すグラフと、歪み量を示すグラフである。
【図６Ｂ】本発明の第２実施形態によるスルーフォーカスＭＴＦを示すグラフである。
【図６Ｃ】本発明の第２実施形態によるスペシャルフリーケンシーＭＴＦを示すグラフである。
【図７】本発明の第３実施形態によるマイクロ型投影レンズのレンズの配置を示す模式図である。
【図８】本発明の第３実施形態による光路を示す模式図である。
【図９Ａ】本発明の第３実施形態による像面湾曲を示すグラフと、歪み量を示すグラフである。
【図９Ｂ】本発明の第３実施形態によるスルーフォーカスＭＴＦを示すグラフである。
【図９Ｃ】本発明の第３実施形態によるスペシャルフリーケンシーＭＴＦを示すグラフである。
【発明を実施するための形態】
【００１４】
以下、図面に基づいて本発明の実施形態について詳しく説明する。なお、本発明は実施例に限定されるものではない。
【００１５】
（第１実施形態）
図１及び図２を参照する。図１及び図２に示すように、本発明の第１実施形態によるマイクロ型投影レンズ１は、光軸Ｚに沿って配置され、形成像側から映像源側にかけて第１のレンズ群Ｇ１１、絞りＳＴＯ１、第２のレンズ群Ｇ１２及び第３のレンズ群Ｇ１３が順次配列されている。
【００１６】
第１のレンズ群Ｇ１１は、正の屈折力を有し、第１のレンズＬ１１及び第２のレンズＬ１２を含む。第１のレンズＬ１１は、負の屈折力を有するプラスチック製非球面凹凸レンズである。非球面凹凸レンズの凸面Ｓ１は、形成像側に向けられ、凸面Ｓ１及び凹面Ｓ２のそれぞれは非球面である。第２のレンズＬ１２は、正の屈折力を有するプラスチック製非球面凹凸レンズを有し、凸面Ｓ３は、形成像側に向けられ、凸面Ｓ３及び凹面Ｓ４のそれぞれは非球面である。このように、第２のレンズＬ１２の正の屈折力は、第１のレンズ群Ｇ１１の正の屈折力として主に利用する。これら２つのレンズＬ１１，Ｌ１２は、以下の数式（１）を満足させることにより、形成像の品質を向上させ、色差を低減させることができる。
【００１７】
【数１】
2012141568.tif 000003
【００１８】
上記式において、ｆ２は、第２のレンズＬ１２の有効焦点距離を表し、Ｆ１２は、第１のレンズＬ１１と第２のレンズＬ１２との合成焦点距離を表す。
【００１９】
第２のレンズ群Ｇ１２は、負の屈折力を有し、第３のレンズＬ１３及び第４のレンズＬ１４を含む。第３のレンズＬ１３は、負の屈折力を有するガラスレンズである。第４のレンズＬ１４は、正の屈折力を有するガラスレンズを有する。第３のレンズＬ１３の負の屈折力は、第２のレンズ群Ｇ１２の負の屈折力として主に利用する。第３のレンズＬ１３と第４のレンズＬ１４とを接合して接合レンズＬ１３４を構成し、以下の数式（２）を満足させることにより、色差を除去してビームを拡大させることができる。
【００２０】
【数２】
2012141568.tif 000004
【００２１】
上記式において、ｆ３は、第３のレンズＬ１３の有効焦点距離を表し、Ｆ３４は、接合レンズＬ１３４の合成焦点距離を表す。
【００２２】
第３のレンズ群Ｇ１３は、第５のレンズＬ１５を含む。第５のレンズＬ１５は、正の屈折力を有するプラスチックレンズであり、第１のレンズ群Ｇ１１の形成像性能を高めるために、両面Ｓ９，Ｓ１０は非球面であり、像面湾曲及び非点収差を補正し、マイクロ型投影レンズ１により形成される像の品質を向上させることができる。
【００２３】
また、第３のレンズ群Ｇ１３から映像源側までの間には、フィルタＣＦ１及びダイクロイックミラーＢＳ１が順次配置されているが、これらは従来技術であるため、ここでは詳しく述べない。
【００２４】
以下の表１は、本発明の第１実施形態によるマイクロ型投影レンズ１の焦点距離（ｆｏｃｕｓ  ｌｅｎｇｔｈ）、Ｆナンバー（Ｆ−ｎｕｍｂｅｒ）、各レンズ表面の光軸Ｚが通過する箇所の曲率半径（ｒａｄｉｕｓ  ｏｆ  ｃｕｒｖａｔｕｒｅ）、各レンズの光軸Ｚ上の厚さＴ（ｔｈｉｃｋｎｅｓｓ）、各レンズの屈折率Ｎｄ（ｒｅｆｒａｃｔｉｖｅ  ｉｎｄｅｘ）及び各レンズのアッベ数Ｖｄ（Ａｂｂｅ  ｎｕｍｂｅｒ）を表す。
【００２５】
【表１】
2012141568.tif 000005
【００２６】
本実施形態の各レンズ中において、非球面表面Ｓ１，Ｓ２，Ｓ３，Ｓ４，Ｓ９，Ｓ１０の表面のへこみ度ｚは、以下の数式（３）で表すことができる。
【００２７】
【数３】
2012141568.tif 000006
【００２８】
上記式において、ｚは、非球面表面のへこみ度を表し、ｃは、曲率半径の逆数を表し、ｈは、表面のアパーチャ半径を表し、ｋは、円錐係数を表し、Ａ〜Ｇは、表面のアパーチャ係数ｈの各レベル非球面係数（ａｌｌ−ｌｅｖｅｌ  ａｓｐｈｅｒｉｃ  ｃｏｅｆｆｉｃｉｅｎｔ）を表す。
【００２９】
本実施形態の各非球面表面の円錐係数ｋ（ｃｏｎｉｃ  ｃｏｎｓｔａｎｔ）及び表面アパーチャ半径ｈの各レベル非球面係数は、次表（２）で表すことができる。
【００３０】
【表２】
2012141568.tif 000007
【００３１】
上述のレンズ及び絞りの構成により、本実施形態のマイクロ型投影レンズ１は、体積を小さくして小型化のニーズを満足させることができる上、形成像品質の要求を満たすことができる（図３Ａ〜図３Ｃ参照）。
【００３２】
図３Ａ〜図３Ｃを参照する。図３Ａに示すように、第１実施形態の像面湾曲は最大でも０．０８ｍｍ及び−０．０４ｍｍを超えず、歪み量が２％を超えない。図３Ｂに示すように、第１実施形態では、全ての視野位置において高い解像度を有する。図３Ｃに示すように、第１実施形態は、６６（ｌｐ／ｍｍ）のとき、スルーフォーカスＭＴＦを依然として５０％以上に維持し、第１実施形態のマイクロ型投影レンズ１の解像度が基準を満たす。
【００３３】
（第２実施形態）
以下、図４及び図５に基づいて本発明の第２実施形態を説明する。
【００３４】
本発明の第２実施形態は、第１実施形態と同様に、光軸Ｚに沿って、形成像側から映像源側に順次配列された第１のレンズ群Ｇ２１、絞りＳＴＯ２、第２のレンズ群Ｇ２２、第３のレンズ群Ｇ２３、フィルタＣＦ２及びダイクロイックミラーＢＳ２を含む。第１のレンズ群Ｇ２１は、正の屈折力を有する。第２のレンズ群Ｇ２２は、負の屈折力を有する。第３のレンズ群Ｇ２３は、正の屈折力を有する。
【００３５】
第１のレンズ群Ｇ２１は、第１のレンズＬ２１及び第２のレンズＬ２２を含む。第１のレンズＬ２１は、負の屈折力を有するプラスチック製非球面凹凸レンズである。凸面Ｓ１及び凹面Ｓ２のそれぞれは非球面である。第２のレンズＬ２２は、正の屈折力を有するプラスチック製非球面凹凸レンズであり、凸面Ｓ３及び凹面Ｓ４は非球面である。形成像の品質を向上させ、色差を低減させるために、２つのレンズは、以下の数式（４）を満足させる。
【００３６】
【数４】
2012141568.tif 000008
【００３７】
上記式において、ｆ２は、第２のレンズＬ２２の有効焦点距離を表し、Ｆ１２は、第１のレンズＬ２１と第２のレンズＬ２２との合成焦点距離を表す。
【００３８】
第２のレンズ群Ｇ２２は、第３のレンズＬ２３及び第４のレンズＬ２４を含む。第３のレンズＬ２３は、負の屈折力を有するガラスレンズである。第４のレンズＬ２４は、正の屈折力を有するガラスレンズである。これら２つのレンズを接着させて接合レンズＬ２３４を形成し、色差を除去してビームを拡大させることができる。これら２つのレンズは、以下の数式（５）を満足させる。
【００３９】
【数５】
2012141568.tif 000009
【００４０】
上記式において、ｆ３は、第３のレンズＬ２３の有効焦点距離を表し、Ｆ３４は、接合レンズＬ２３４の合成焦点距離を表す。
【００４１】
第３のレンズ群Ｇ２３は、第５のレンズＬ２５を含む。第５のレンズＬ２５は、正の屈折力を有するプラスチックレンズであり、両面Ｓ９，Ｓ１０は、第１のレンズ群Ｇ２１の形成像性能を高めるために非球面であり、像面湾曲及び非点収差を補正し、第１のレンズ群Ｇ２１により形成する像の品質を向上させることができる。
【００４２】
以下の表３は、本発明の第２実施形態によるマイクロ型投影レンズ２の焦点距離（ｆｏｃｕｓ  ｌｅｎｇｔｈ）、Ｆナンバー（Ｆ−ｎｕｍｂｅｒ）、各レンズ表面の光軸Ｚが通過する箇所の曲率半径（ｒａｄｉｕｓ  ｏｆ  ｃｕｒｖａｔｕｒｅ）、各レンズの光軸Ｚ上の厚さＴ（ｔｈｉｃｋｎｅｓｓ）、各レンズの屈折率Ｎｄ（ｒｅｆｒａｃｔｉｖｅ  ｉｎｄｅｘ）及び各レンズのアッベ数Ｖｄ（Ａｂｂｅ  ｎｕｍｂｅｒ）を表す。
【００４３】
【表３】
2012141568.tif 000010
【００４４】
本実施形態の各レンズ中において、非球面表面Ｓ１，Ｓ２，Ｓ３，Ｓ４，Ｓ９，Ｓ１０の表面のへこみ度ｚは、数式（６）で表すことができる。
【００４５】
【数６】
2012141568.tif 000011
【００４６】
上記式において、ｚは、非球面表面のへこみ度を表し、ｃは、曲率半径の逆数を表し、ｈは、表面のアパーチャ半径を表し、ｋは、円錐係数を表し、Ａ〜Ｇは、表面のアパーチャ係数ｈの各レベル非球面係数を表す。
【００４７】
本実施形態の各非球面表面の円錐係数ｋ（ｃｏｎｉｃ  ｃｏｎｓｔａｎｔ）及び表面アパーチャ半径ｈの各レベル非球面係数Ａ〜Ｇは、次表（４）で表すことができる。
【００４８】
【表４】
2012141568.tif 000012
【００４９】
上述のレンズ及び絞りの構成により、第２実施形態のマイクロ型投影レンズ２は、体積を小さくして小型化のニーズを満足させることができる上、形成する像の品質も要求を満たすことができる（図６Ａ〜図６Ｃ参照）。
【００５０】
図６Ａ〜図６Ｃを参照する。図６Ａに示すように、第２実施形態の像面湾曲は最大でも０．０５ｍｍ及び−０．０３ｍｍを超えず、歪み量が２％を超えない。図６Ｂに示すように、第２実施形態では、全ての視野位置において高い解像度を有する。図６Ｃに示すように、第２実施形態は、６６（ｌｐ／ｍｍ）のとき、そのスルーフォーカスＭＴＦが依然として４０％以上に維持されるため、第２実施形態のマイクロ型投影レンズ２の解像度は基準を満たす。
【００５１】
（第３実施形態）
以下、図７及び図８に基づいて本発明の第３実施形態を説明する。
本発明の第３実施形態によるマイクロ型投影レンズ３は、第１実施形態及び第２実施形態と同様に、光軸Ｚに沿って、形成像側から映像源側に順次配列された第１のレンズ群Ｇ３１、絞りＳＴＯ３、第２のレンズ群Ｇ３２、第３のレンズ群Ｇ３３、フィルタＣＦ３及びダイクロイックミラーＢＳ３を含む。第１のレンズ群Ｇ３１は、正の屈折力を有する。第２のレンズ群Ｇ３２は、負の屈折力を有する。第３のレンズ群Ｇ３３は、正の屈折力を有する。
【００５２】
第１のレンズ群Ｇ３１は、第１のレンズＬ３１及び第２のレンズＬ３２を含む。第１のレンズＬ３１は、負の屈折力を有するプラスチック製非球面凹凸レンズである。第２のレンズＬ３２は、正の屈折力を有するプラスチック製非球面凹凸レンズである。２つのレンズＬ３１，Ｌ３２の凸面Ｓ１，Ｓ３及び凹面Ｓ２，Ｓ４は非球面である。形成像の品質を向上させ、色差を低減させるために、２つのレンズＬ３１，Ｌ３２は、数式（７）を満足させる。
【００５３】
【数７】
2012141568.tif 000013
【００５４】
上記式において、ｆ２は、第２のレンズＬ３２の有効焦点距離を表し、Ｆ１２は、第１のレンズＬ３１と第２のレンズＬ３２との合成焦点距離を表す。
【００５５】
第２のレンズ群Ｇ３２は、第３のレンズＬ３３及び第４のレンズＬ３４を含む。第３のレンズＬ３３は、負の屈折力を有するガラスレンズである。第４のレンズＬ３４は、正の屈折力を有するガラスレンズである。これら２つのレンズを接着させて接合レンズＬ３３４を形成し、色差を除去してビームを拡大させることができる。これら２つのレンズＬ３３，Ｌ３４は、数式（８）を満足させる。
【００５６】
【数８】
2012141568.tif 000014
【００５７】
上記式において、ｆ３は、第３のレンズＬ３３の有効焦点距離を表し、Ｆ３４は、接合レンズＬ３３４の合成焦点距離を表す。
【００５８】
第３実施形態は、第３のレンズ群Ｇ３３の第５のレンズＬ３５が正の屈折力を有するガラス製非球面レンズであり、両面Ｓ９，Ｓ１０は、第１のレンズ群Ｇ３１により形成する像の性能を高め、像面湾曲及び非点収差を補正する非球面である点が第１実施形態及び第２実施形態と異なる。
【００５９】
以下の表５は、本発明の第３実施形態によるマイクロ型投影レンズ３の焦点距離（ｆｏｃｕｓ  ｌｅｎｇｔｈ）、Ｆナンバー（Ｆ−ｎｕｍｂｅｒ）、各レンズ表面の光軸Ｚが通過する箇所の曲率半径（ｒａｄｉｕｓ  ｏｆ  ｃｕｒｖａｔｕｒｅ）、各レンズの光軸Ｚ上の厚さＴ（ｔｈｉｃｋｎｅｓｓ）、各レンズの屈折率Ｎｄ（ｒｅｆｒａｃｔｉｖｅ  ｉｎｄｅｘ）及び各レンズのアッベ数Ｖｄ（Ａｂｂｅ  ｎｕｍｂｅｒ）を表す。
【００６０】
【表５】
2012141568.tif 000015
【００６１】
本実施形態の各レンズ中において、非球面表面Ｓ１，Ｓ２，Ｓ３，Ｓ４，Ｓ９，Ｓ１０の表面のへこみ度ｚは、数式（９）で表すことができる。
【００６２】
【数９】
2012141568.tif 000016
【００６３】
上記式において、ｚは、非球面表面のへこみ度を表し、ｃは、曲率半径の逆数を表し、ｈは、表面のアパーチャ半径を表し、ｋは、円錐係数を表し、Ａ〜Ｇは、表面のアパーチャ係数ｈの各レベル非球面係数を表す。
【００６４】
本実施形態の各非球面表面の円錐係数ｋ（ｃｏｎｉｃ  ｃｏｎｓｔａｎｔ）及び表面アパーチャ半径ｈの各レベル非球面係数Ａ〜Ｇは、次表（６）で表すことができる。
【００６５】
【表６】
2012141568.tif 000017
【００６６】
上述のレンズ及び絞りの構成により、第３実施形態のマイクロ型投影レンズ３は、体積を小さくして小型化のニーズを満足させることができる上、形成像品質の要求を満足させることができる（図９Ａ〜図９Ｃ参照）。
【００６７】
図９Ａ〜図９Ｃを参照する。図９Ａに示すように、第３実施形態の像面湾曲は最大でも０．０４ｍｍ及び−０．０４ｍｍを超えず、歪み量が２％を超えない。図９Ｂに示すように、第３実施形態では、全ての視野位置において高い解像度を有する。図９Ｃに示すように、第３実施形態は、６６（ｌｐ／ｍｍ）のとき、そのスルーフォーカスＭＴＦ（Ｍｏｄｕｌａｔｉｏｎ  Ｔｒａｎｓｆｅｒ  Ｆｕｎｃｔｉｏｎ）を依然として５０％以上に維持することができるため、第３実施形態のマイクロ型投影レンズ３の解像度は基準を満たす。
【００６８】
本発明のマイクロ型投影レンズは、人々がマイクロ型プロジェクタに期待する小型かつ高光学性能を得ることができる。
【００６９】
当該分野の技術を熟知するものが理解できるように、本発明の好適な実施形態を前述の通り開示したが、これらは決して本発明を限定するものではない。本発明の主旨と領域を逸脱しない範囲内で各種の変更や修正を加えることができる。従って、本発明の特許請求の範囲は、このような変更や修正を含めて広く解釈されるべきである。
【符号の説明】
【００７０】
１  マイクロ型投影レンズ
２  マイクロ型投影レンズ
３  マイクロ型投影レンズ
ＢＳ１  ダイクロイックミラー
ＢＳ２  ダイクロイックミラー
ＢＳ３  ダイクロイックミラー
ＣＦ１  フィルタ
ＣＦ２  フィルタ
ＣＦ３  フィルタ
Ｇ１１  第１のレンズ群
Ｇ１２  第２のレンズ群
Ｇ１３  第３のレンズ群
Ｇ２１  第１のレンズ群
Ｇ２２  第２のレンズ群
Ｇ２３  第３のレンズ群
Ｇ３１  第１のレンズ群
Ｇ３２  第２のレンズ群
Ｇ３３  第３のレンズ群
Ｌ１１  第１のレンズ
Ｌ１２  第２のレンズ
Ｌ１３  第３のレンズ
Ｌ１４  第４のレンズ
Ｌ１５  第５のレンズ
Ｌ２１  第１のレンズ
Ｌ２２  第２のレンズ
Ｌ２３  第３のレンズ
Ｌ２４  第４のレンズ
Ｌ２５  第５のレンズ
Ｌ３１  第１のレンズ
Ｌ３２  第２のレンズ
Ｌ３３  第３のレンズ
Ｌ３４  第４のレンズ
Ｌ３５  第５のレンズ
Ｌ１３４  接合レンズ
Ｌ２３４  接合レンズ
Ｌ３３４  接合レンズ
Ｓ１〜Ｓ１４  面
ＳＴＯ１  絞り
ＳＴＯ２  絞り
ＳＴＯ３  絞り
Ｚ  光軸
【図１】
2012141568.tif 000018
【図２】
2012141568.tif 000019
【図３Ａ】
2012141568.tif 000020
【図３Ｂ】
2012141568.tif 000021
【図３Ｃ】
2012141568.tif 000022
【図４】
2012141568.tif 000023
【図５】
2012141568.tif 000024
【図６Ａ】
2012141568.tif 000025
【図６Ｂ】
2012141568.tif 000026
【図６Ｃ】
2012141568.tif 000027
【図７】
2012141568.tif 000028
【図８】
2012141568.tif 000029
【図９Ａ】
2012141568.tif 000030
【図９Ｂ】
2012141568.tif 000031
【図９Ｃ】
2012141568.tif 000032